(57)【要約】      （修正有）【課題】  ディスク保持機能を持つターンテーブルを採用していながら、ターンテーブルによるディスクのクランプが、手作業に頼ることなく、ターンテーブルの移動動作を通じて自動的に行われるようにして、クランパやクランパホルダーを不要とする。【解決手段】  ターンテーブルとカム機構５とを有する。ターンテーブルはそれ自体がディスク保持機能を備える。カム機構５が、揺動フレームの自由端部に具備された係合部５１と、カム面５５を備えるカムスライダ５２とを有する。カム面５５が本来的に必要な部位５６，５７，５８を有していることに加え、第３部位５８と第１部位５６との間に位置する山形の第４部位５９を有する。第４部位５９が押上げ機能を発揮し、待機部材の助けによって、ターンテーブルによるディスク保持機能が発揮されるようになっている。【選択図】        図６
2008084361.tif 000002
【特許請求の範囲】
【請求項１】
中央にディスクの中心孔部が嵌合される凸部を備えて回転駆動されるターンテーブルと、上記凸部にディスクの中心孔部が嵌合したディスクを保持して回転させる動作位置とその動作位置から退避して当該ターンテーブルとの対向位置である搬入位置に対するディスクの搬入出を許容する退避位置との間で上記ターンテーブルを移動させるためのカム機構と、を有するディスク装置において、
上記ターンテーブルは、ディスクの中心孔部が上記凸部に嵌合されたときに、そのディスクを上記凸部に出退可能に装備されている係止爪と共働して挟圧保持するディスク保持機能を備え、その係止爪は、ディスクの中心孔部を支える受面が当該ターンテーブルの径方向外側に向かう下がり勾配の傾斜面に形成されていて、その受面で支えられた上記ディスクの中心孔部に押込み力が加えられたときに後退してディスクの中心孔部を乗り越えさせる機能を備え、
上記カム機構が、上記ターンテーブルを搭載して一端部が定位置に揺動可能に取り付けられた揺動フレームの他端部である自由端部に具備された係合部と、この係合部が摺動自在に係合するカム面を備えて上記揺動フレームの揺動方向に対する直交方向にスライド可能なカムスライダとを有し、このカムスライダの上記カム面が、上記動作位置に対応する第１部位と上記退避位置に対応する第２部位と、第１部位から第２部位に向かって延びる傾斜した第３部位とを有していると共に、第３部位と第１部位との間に介在されてそれらを連続させる山形の第４部位を有していて、
この第４部位は、上記係合部が摺動することによって、上記ターンテーブルを退避位置から動作位置に移動させる途中でそのターンテーブルを動作位置を越えて移動させた後に上記動作位置に復帰させる押上げ機能を有し、その押上げ機能により、ターンテーブルが動作位置を越えてから上記動作位置に復帰するまでに、係止爪の上記受面により中心孔部が支えられたディスクを定位置の待機部材に押し付けてその中心孔部を係止爪に乗り越えさせて上記凸部に嵌合させるディスク圧入動作が行われるように構成され、かつ、上記揺動フレームの一端部が取り付けられている枠フレームに上記待機部材が装備されていることを特徴とするディスク装置のクランプ機構。
【請求項２】
中央にディスクの中心孔部が嵌合される凸部を備えて回転駆動されるターンテーブルと、上記凸部にディスクの中心孔部が嵌合したディスクを保持して回転させる動作位置とその動作位置から退避して当該ターンテーブルとの対向位置である搬入位置に対するディスクの搬入出を許容する退避位置との間で上記ターンテーブルを移動させるためのカム機構と、を有するディスク装置において、
上記ターンテーブルは、ディスクの中心孔部が上記凸部に嵌合されたときに、そのディスクを上記凸部に出退可能に装備されている係止爪と共働して挟圧保持するディスク保持機能を備え、
上記カム機構には、上記ターンテーブルを退避位置から動作位置に移動させる途中で動作位置を越えてターンテーブルを移動させた後に上記動作位置に復帰させる押上げ機能が付加されていて、そのカム機構の押上げ機能によりターンテーブルが動作位置を越えてから上記動作位置に復帰するまでに、上記係止爪により中心孔部が支えられたディスクを定位置の待機部材に押し付けてその中心孔部を係止爪に乗り越えさせて上記凸部に嵌合するディスク圧入動作が行われるように構成されていることを特徴とするディスク装置のクランプ機構。
【請求項３】
上記カム機構が、上記ターンテーブルを搭載して一端部が定位置に揺動可能に取り付けられた揺動フレームの他端部である自由端部に具備された係合部と、この係合部が摺動自在に係合するカム面を備えて上記揺動フレームの揺動方向に対する直交方向にスライド可能なカムスライダとを有し、このカムスライダの上記カム面が、上記動作位置に対応する第１部位と上記退避位置に対応する第２部位と、第１部位から第２部位に向かって延びる傾斜した第３部位とを有していると共に、第３部位と第１部位との間に介在されてそれらを連続させる山形の第４部位を有し、この第４部位を上記係合部が摺動することによって上記ディスク圧入動作が行われるようになっている請求項２に記載したディスク装置のクランプ機構。
【請求項４】
上記揺動フレームの一端部が取り付けられている枠フレームに上記待機部材が装備されている請求項２又は請求項３に記載したディスク装置のクランプ機構。
【発明の詳細な説明】
【技術分野】
【０００１】
本発明は、ディスク装置のクランプ機構、特にディスク装置の組立作業性の改善やその薄形化ないしコンパクト化に役立つ対策が講じられたディスク装置のクランプ機構に関する。
【背景技術】
【０００２】
従来、光ディスク装置において、ターンテーブルとクランパとによってディスクをクランプさせる場合にカムスライダの作用を利用することが知られていた（たとえば、特許文献１参照）。
【０００３】
図１２及び図１３にクランプ機構の従来例の概略構成や作用を説明的に示してある。図１２及び図１３において、１００はターンテーブル、２００はターンテーブル１００を回転駆動するためのモータ、３００はクランパ、４００はディスクトレイをそれぞれ示している。ターンテーブル１００は円形であって、その中央に裁頭円錐形の凸部１１０を備えている。そして、ターンテーブル１００が、ディスクトレイ４００によるディスク５００の搬入位置の下側の退避位置とその上側の動作位置との間で移動されるようになっているのに対し、ディスククランプ時にターンテーブル１００の相手方として作用するクランパ３００が、ディスク装置の枠フレーム（不図示）に装備されているクランパホルダー３１０に遊嵌状態で保持されている。
【０００４】
このようなクランプ機構にあっては、図１２のようにディスク５００がその搬入位置に搬入された後、ターンテーブル１００が退避位置から図１３の矢印ａのように上昇すると、その上昇途中で、ターンテーブル１００が、ディスクトレイ４００からディスク５００を受け取って上方で待機しているクランパ３００をクランパホルダー３１０から浮き上がらせる。そして、クランパ３００やターンテーブル１００に内蔵されている磁石やその相手方である磁性体が互いに引き合って、クランパ３００とターンテーブル１００とが共働して同図のようにディスク５００を挟持する。この後、モータ２００が始動してターンテーブル１００が矢印Ｒのように回転し、併せて、図示していない光ピックアップなどが動作してディスク５００に対する光学的処理が実行される。
【特許文献１】特開２００４−２４１０６７号公報
【発明の開示】
【発明が解決しようとする課題】
【０００５】
図１２及び図１３を参照して説明した従来例では、クランプ機構がクランパホルダー３１０に保持されたクランパ３００を必要としている。そのため、このクランプ機構では、ターンテーブル１００の他にクランパ３００やクランパホルダー３１０が余分に必要になり、それだけ必要部品点数が多くなって組立作業性ないし量産性の損なわるおそれがあっただけでなく、ディスク搬入位置の上方にクランパ３００の配備スペースを確保しておく必要があったために、ディスク装置自体の薄形化ないしコンパクト化がそれによって阻害されるおそれがあった。
【０００６】
ところで、近時普及の著しいノート型パソコン（ノート型パーソナルコンピュータ）に組み込まれているＤＶＤドライブなどのディスク装置では、ターンテーブルがディスクトレイに装備されていて、そのターンテーブル自体に単独でディスクを挟圧保持することのできるディスク保持機能を付与したものがある。このものでは、上記したようなクランプを用いずにディスクをクランプさせるができるので、ＤＶＤドライブのサイズをノート型パソコンのサイズに合わせやすいという利点がある。この種のＤＶＤドライブにおいて、外部に引き出したディスクトレイに装備されているターンテーブルにディスクをクランプさせるときには、ユーザが手作業でディスクの中心孔部をターンテーブルに押し込むという作業を行っている。
【０００７】
このような背景の下、本発明は、ディスク保持機能を備えるターンテーブルを図１２及び図１３を参照して説明した従来例のターンテーブル１００の代わりに採用したものでありながら、搬入位置にあるディスクのターンテーブルへの受渡しやターンテーブルによるディスクのクランプ動作が、ユーザの手作業に頼ることなく、ターンテーブルの移動動作を通じて自動的に行われるようにしたディスク装置のクランプ機構を提供することを目的としている。
【０００８】
また、本発明は、従来例で説明したクランパ３００やクランパホルダー３１０を省略してディスク装置の組立作業性ないし量産性を改善すると共に、その薄形化ないしコンパクト化を促進しやすくなるディスク装置のクランプ機構を提供することを目的とする。
【課題を解決するための手段】
【０００９】
本発明は、中央にディスクの中心孔部が嵌合される凸部を備えて回転駆動されるターンテーブルと、上記凸部にディスクの中心孔部が嵌合したディスクを保持して回転させる動作位置とその動作位置から退避して当該ターンテーブルとの対向位置である搬入位置に対するディスクの搬入出を許容する退避位置との間で上記ターンテーブルを移動させるためのカム機構と、を有している。
【００１０】
そして、上記ターンテーブルは、ディスクの中心孔部が上記凸部に嵌合されたときに、そのディスクを上記凸部に出退可能に装備されている係止爪と共働して挟圧保持するディスク保持機能を備えている。また、上記カム機構には、上記ターンテーブルを退避位置から動作位置に移動させる途中で動作位置を越えてターンテーブルを移動させた後に上記動作位置に復帰させる押上げ機能が付加されていて、その押上げ機能によってターンテーブルが動作位置を越えてから上記動作位置に復帰するまでにディスク圧入動作が行われるように構成されている。このときのディスク圧入動作は、上記係止爪により中心孔部が支えられたディスクを定位置の待機部材に押し付けてその中心孔部を係止爪に乗り越えさせて上記凸部に嵌合するという動作のことである。
【００１１】
この発明によると、それ自体がディスク保持機能を備えるターンテーブルを採用しているにもかかわらず、退避位置から動作位置に向かうターンテーブルの移動の途中でそのターンテーブルの凸部に対して自動的にディスク圧入動作が行われてディスクがそのターンテーブルによって挟圧保持される。このため、従来例で説明したクランパやクランパホルダーが不要になってディスク装置の組立作業性ないし量産性が改善され、併せて、ディスク装置の薄形化ないしコンパクト化を促進しやすくなる。
【００１２】
本発明では、上記カム機構が、上記ターンテーブルを搭載して一端部が定位置に揺動可能に取り付けられた揺動フレームの他端部である自由端部に具備された係合部と、この係合部が摺動自在に係合するカム面を備えて上記揺動フレームの揺動方向に対する直交方向にスライド可能なカムスライダとを有し、このカムスライダの上記カム面が、上記動作位置に対応する第１部位と上記退避位置に対応する第２部位と、第１部位から第２部位に向かって延びる傾斜した第３部位とを有していると共に、第３部位と第１部位との間に介在されてそれらを連続させる山形の第４部位を有し、この第４部位を上記係合部が摺動することによって上記ディスク圧入動作が行われるようになっている、という構成を採用することが望ましい。これによれば、ターンテーブルを退避位置から動作位置に移動させるのに必要とされる第１、第２及び第３の各部位を備えるカムスライダのカム面に、山形の第４部位を追加するだけで、ターンテーブルの凸部に対するディスク圧入動作が行われるようになる。そのため、カム面の形状を変更するだけでディスク圧入動作が行われるようになる。
【００１３】
本発明では、上記揺動フレームの一端部が取り付けられている枠フレームに上記待機部材が装備されていることが望ましい。この発明において、待機部材は、従来例に示したようなクランパのようにクランパホルダーに遊嵌状態で保持されている必要がない。そのため、クランパやクランパホルダーを用いた従来例に比べてクランプ機構の構成が簡略化される。
【００１４】
本発明に係るディスク装置のクランプ機構は、次の構成を採用することによっていっそう具体化される。すなわち、中央にディスクの中心孔部が嵌合される凸部を備えて回転駆動されるターンテーブルと、上記凸部にディスクの中心孔部が嵌合したディスクを保持して回転させる動作位置とその動作位置から退避して当該ターンテーブルとの対向位置である搬入位置に対するディスクの搬入出を許容する退避位置との間で上記ターンテーブルを移動させるためのカム機構と、を有するディスク装置において、上記ターンテーブルは、ディスクの中心孔部が上記凸部に嵌合されたときに、そのディスクを上記凸部に出退可能に装備されている係止爪と共働して挟圧保持するディスク保持機能を備え、その係止爪は、ディスクの中心孔部を支える受面が当該ターンテーブルの径方向外側に向かう下がり勾配の傾斜面に形成されていて、その受面で支えられた上記ディスクの中心孔部に押込み力が加えられたときに後退してディスクの中心孔部を乗り越えさせる機能を備え、上記カム機構が、上記ターンテーブルを搭載して一端部が定位置に揺動可能に取り付けられた揺動フレームの他端部である自由端部に具備された係合部と、この係合部が摺動自在に係合するカム面を備えて上記揺動フレームの揺動方向に対する直交方向にスライド可能なカムスライダとを有し、このカムスライダの上記カム面が、上記動作位置に対応する第１部位と上記退避位置に対応する第２部位と、第１部位から第２部位に向かって延びる傾斜した第３部位とを有していると共に、第３部位と第１部位との間に介在されてそれらを連続させる山形の第４部位を有していて、この第４部位は、上記係合部が摺動することによって、上記ターンテーブルを退避位置から動作位置に移動させる途中でそのターンテーブルを動作位置を越えて移動させた後に上記動作位置に復帰させる押上げ機能を有し、その押上げ機能により、ターンテーブルが動作位置を越えてから上記動作位置に復帰するまでに、係止爪の上記受面により中心孔部が支えられたディスクを定位置の待機部材に押し付けてその中心孔部を係止爪に乗り越えさせて上記凸部に嵌合させるディスク圧入動作が行われるように構成され、かつ、上記揺動フレームの一端部が取り付けられている枠フレームに上記待機部材が装備されている、という構成を採用することによっていっそう具体化される。この発明の作用などについては後述する実施形態を参照して詳細に説明する。
【発明の効果】
【００１５】
以上のように、本発明によれば、それ自体がディスク保持機能を備えるターンテーブルを採用したものでありながら、搬入位置にあるディスクのターンテーブルへの受渡しやターンテーブル自体によるディスクのクランプが、手作業に頼ることなく、ターンテーブルの移動動作を通じて自動的に行われるようになる。そのため、従来例で説明したクランパやクランパホルダーが不要になってそれだけディスク装置の組立作業性ないし量産性が改善されて量産化を図りやすくなり、しかも、ディスク装置の薄形化ないしコンパクト化も促進しやすいという効果が奏される。
【発明を実施するための最良の形態】
【００１６】
図１は本発明に係るクランプ機構を採用したディスク装置の一例を示した概略斜視図であり、同図のディスク装置では、メインシャーシとしての枠フレーム１にディスクトレイ２が出退可能に組み付けられているほか、同図に現れていないドライブシャーシとしての揺動フレームや光ピックアップなども枠フレーム１に組み付けられている。
【００１７】
図２は図１のディスク装置の内部構造を概略で示した平面図、図３はディスクトレイ２を概略で示した平面図である。
【００１８】
図２のように、枠フレーム１に組み付けられている揺動フレーム３は、その一端部３１が枠フレーム１の定位置に揺動可能に取り付けられていて、同図には一点鎖線Ｘ−Ｘ線によってその揺動中心の位置を示してある。また、揺動フレーム３の他端部は、一点鎖線Ｘ−Ｘで示した揺動中心の回りで揺動される自由端部３２となっている。この揺動フレーム３にはターンテーブル４が搭載されているのに対し、揺動フレーム３に開設された開口３３内で移動する光ピックアップＰが上記枠フレーム１に取り付けられている。
【００１９】
図３のように、ディスクトレイ２は、サイズの異なる２種類のディスク５００が各別に載架される円形の凹所２１，２２を同心位置に有しているほか、それらの凹所２１，２２のいずれかに載架されたディスク５００の中心孔部５１０に対向する箇所と上記光ピックアップＰの移動範囲に対応する箇所とに亘る開口２３を有している。そして、図１又は図２に示した枠フレーム１の外側に後退して引き出されたディスクトレイ２にディスク５００が載架された後、そのディスクトレイ２が矢印Ｙ方向に移動して枠フレーム１の内側に進入することによりディスク５００が搬入位置まで搬入されるのであって、その搬入位置では、たとえば図８に示したように、ディスク５００の中心孔部５１０が、ディスクトレイ２の開口２３を介してその下側に位置しているターンテーブル４に上方から対向するようになっている。
【００２０】
図４はディスク保持機能を備えるターンテーブル４を概略で示した平面図、図５は図４のターンテーブル４のディスク保持機能の説明図である。
【００２１】
図４又は図５のように、ターンテーブル４は円形であって、その中央に円形の凸部４１が備わっている。さらに、その凸部４１の周方向等角度おきの３箇所には、係止爪４２が、ばね体４４により突出方向に常時弾発付勢された状態でその凸部４１の径方向に出退可能に取り付けられている。個々の係止爪４２は、ディスク５００の中心孔部５１０を支える受面４３を有していて、その受面４３が、図５に拡大して示したようにターンテーブル４の径方向外側に向かう下がり勾配の傾斜面に形成されている。そして、図５に仮想線で示したようにディスク５００の中心孔部５１０がその受面４３によって支えられた後、そのディスク５００に押込み力が加えられたときには、ディスク５００の中心孔部５１０が受面４３を滑りながら係止爪４２をばね体４４の付勢に抗して後退させて係止爪４２を乗り越えるようになっている。そして、ディスク５００の中心孔部５１０が係止爪４２を乗り越えると、その中心孔部５１０が凸部４１に嵌合してディスク５００がターンテーブル４に載架され、かつ、係止爪４２がばね体４４の付勢により突出してその係止爪４２がターンテーブル４と共働してディスク５００を挟圧保持するようになっている。ここで説明したところの、係止爪４２がターンテーブル４と共働してディスク５００を挟圧保持するという機能がターンテーブル４自体に付与されているディスク保持機能である。なお、図５において、Ｍはモータであり、このモータＭを動力源としてターンテーブル４が回転する。
【００２２】
なお、図２に示した揺動フレーム３は、ターンテーブル４を搭載したまま、同図に示したカム機構５の作用によって、ターンテーブル４が上記したディスク５００の搬入位置の下側に位置してディスクトレイ３によるディスク５００の搬入出を許容する退避位置（図８参照）と、その退避位置よりも上側の動作位置（図１１参照）との間で移動されるようになっている。
【００２３】
図６及び図７はカム機構５の正面図、図８〜図１１はクランプ機構の作用説明図である。
【００２４】
カム機構５は、揺動フレーム３の自由端部３２に具備された係合部５１と、揺動フレーム３の揺動方向に対する直交方向（図２に示した揺動フレーム３の横幅方向Ｗ）にスライド可能なカムスライダ５２とを有している。そして、図６及び図７に示したように、カムスライダ５２には、上記係合部５１が摺動自在に係合されたカム面５５が備わっている。
【００２５】
カム面５５は、上記したターンテーブル４の動作位置に対応する第１部位５６と、上記したターンテーブル４の退避位置に対応する第２部位５７と、第１部位５６から第２部位５７に向かって延びる傾斜した第３部位５８とを有していることに加えて、第３部位５８と第１部位５６との間に介在されてそれらを連続させる山形の第４部位５９を有している。そして、カムスライダ５２が揺動フレーム３の横幅方向Ｗ（図２参照）にスライドすると、係合部５１が、カム面５５の第３部位５８を摺動して、第１部位５６と第２部位５７との間で移動することに加え、係合部５１が第３部位５８を経て第１部位５６に達する直前では、その係合部５１が山形の第４部位５９を乗り越える。このため、カムスライダ５２のスライド動作を通じて、ターンテーブル４が動作位置とその動作位置から退避した退避位置との間で移動することに加え、ターンテーブル４が退避位置から動作位置に移動する途中では、係合部５１が山形の第４部位５９を乗り越えることによってターンテーブル４が動作位置を越えて移動した後に動作位置に復帰する。このようにターンテーブル４が退避位置から動作位置に移動する途中で、ターンテーブル４を動作位置を越えて移動させる作用は、カム面５５の第４部位５９に付与されている押上げ機能によって発揮される。
【００２６】
次に、図８に示したように、ディスク５００についての搬入位置の上方には待機部材７が配備されている。この待機部材７は、円筒形に形成されていて、図１又は図２に示した枠フレーム１に装備されている梁部１２に樹脂で一体に成形されている。そして、カム面５５の第４部位５９（図６又は図７参照）が発揮する押上げ機能によりターンテーブル４が動作位置を越えてから動作位置に復帰するまでの間の所定のタイミングで、ターンテーブル４の上記係止爪４２の受面４３（図４又は図５参照）により中心孔部５１０が支えられたディスク５００がその待機部材７に押し付けられるようになっていて、しかも、待機部材７にディスク５００が押し付けられることによって、ディスク５００の中心孔部５１０が係止爪４２を乗り越えて凸部４１に嵌合するようになっている。このようにして待機部材７がディスク５００の中心孔部５１０を押し付けて係止爪４２を乗り越えさせることによってその中間孔部５１０を凸部４１に嵌合させる動作が、待機部材７によるディスク圧入動作である。
【００２７】
以上のように構成されている実施形態のクランプ機構の作用を次に説明する。
【００２８】
図６に仮想線で示したように係合部５１がカム面５５の第２部位５７に位置しているときには、図８のようにターンテーブル４が退避位置に位置していて、ターンテーブル４との対向位置である上記搬入位置に対するディスク５００の搬入が許容されている。そして、このときに、ディスク５００が載架されたディスクトレイ２が枠フレーム１に進入してディスク５００をその搬入位置まで搬入する。
【００２９】
図８のようにディスク５００がその搬入位置に搬入された後、カムスライダ５２が図６の矢印Ｗ１方向にスライドすると、係合部５１が同図矢印ｍのようにカム面５５の第２部位５７を離れて第３部位５８を摺動した後、同図に実線で示したように第４部位５９に乗り上がる。このように係合部５１が第４部位５９に乗り上がると、その第４部位５９による押上げ機能が発揮されるために、図９の矢印Ｕのようにターンテーブル４が移動してディスクトレイ２上のディスク５００を受け取って待機部材７に押し付け、さらに、図１０の矢印Ｕのようにターンテーブル４がさらに移動すると、待機部材７によるディスク圧入動作によってディスク５００の中心孔部５１０が係止爪４２を乗り越えて凸部４１に嵌合する。この状態では、ディスク５００がターンテーブル４にそのディスク保持機能によって挟圧保持されている。
【００３０】
この後、図７の矢印Ｗ１方向にカムスライダ５２がさらにスライドすると、係合部５１がカム面５５の第４部位５９を矢印ｎのように摺動して第１部位５６に達する。こうして係合部５１が第１部位５６に達すると、図１１のようにターンテーブル４が矢印Ｄのように移動して動作位置に位置するので、ターンテーブル４に挟圧保持されているディスク５００が待機部材７から離れ、かつ、ディスクトレイ２からも離れた位置に保たれる。したがって、モータＭを始動させてターンテーブル４と共にディスク５００を回転させながら図２に示した光ピックアップＰを動作させると、ディスク５００に対して情報の書込み又は読取りといった光学的処理が行われる。
【００３１】
次に、カムスライダ５２が図７の矢印Ｗ１方向とは反対方向にスライドすると、係合部５１がカム面５５の第１部位５６を離れて第４部位５９を乗り越えた後、第３部位５８を摺動して図７に仮想線で示したように第２部位５７に達する。この場合、ターンテーブル４は図１１及び図８の矢印Ｄのように移動する途中でディスク５００をディスクトレイ２に受け渡す。そして、ターンテーブル４が図８のように動作位置に位置した後に、ディスクトレイ２が枠フレーム１（図１又は図２参照）の外側に引き出されてディスク５００の交換などに備えられる。
【００３２】
なお、図５には、係止爪４２の受面４３にディスク５００の中心孔部５１０が支えられている状態からその中心孔部５１０が係止爪４２を乗り越えてターンテーブル４に挟圧保持された状態に至るまでのディスク５００の移動距離を符号Ｃで示してある。これに対し、図６及び図７には、カム面５５の第２部位５７と第１部位５６との相互間距離を符号Ａで示し、第４部位５９の頂部と第１部位５６との相互間距離を符号Ｂで示してある。そして、これらＡ，Ｂ，Ｃのそれぞれの長さは、Ａが最も長く、ＢはＣと同等に定められている。
【図面の簡単な説明】
【００３３】
【図１】本発明に係るクランプ機構を採用したディスク装置の概略斜視図である。
【図２】同ディスク装置の内部構造を概略で示した平面図である。
【図３】ディスクトレイを概略で示した平面図である。
【図４】ディスク保持機能を備えるターンテーブルを概略で示した平面図である。
【図５】図４のターンテーブルのディスク保持機能の説明図である。
【図６】カム機構の正面図である。
【図７】カム機構の正面図である。
【図８】退避位置のターンテーブルを示したクランプ機構の作用説明図である。
【図９】係止爪に支えられたディスクが待機部材に押し付けられたときのクランプ機構の作用説明図である。
【図１０】待機部材のディスク圧入動作によってディスクがターンテーブルに挟圧保持されたときのクランプ機構の説明図である。
【図１１】動作位置のターンテーブルを示したクランプ機構の作用説明図である。
【図１２】従来例によるクランプ機構の作用説明図である。
【図１３】他の状態での従来例によるクランプ機構の作用説明図である。
【符号の説明】
【００３４】
１  枠フレーム
３  揺動フレーム
４  ターンテーブル
５  カム機構
７  待機部材
３２  揺動フレームの自由端部
４１  凸部
４２  係止爪
４３  受面
５１  係合部
５２  カムスライダ
５５  カム面
５６  第１部位
５７  第２部位
５８  第３部位
５９  第４部位
５００  ディスク
５１０  ディスクの中心孔部
【図１】
2008084361.tif 000003
【図２】
2008084361.tif 000004
【図３】
2008084361.tif 000005
【図４】
2008084361.tif 000006
【図５】
2008084361.tif 000007
【図６】
2008084361.tif 000008
【図７】
2008084361.tif 000009
【図８】
2008084361.tif 000010
【図９】
2008084361.tif 000011
【図１０】
2008084361.tif 000012
【図１１】
2008084361.tif 000013
【図１２】
2008084361.tif 000014
【図１３】
2008084361.tif 000015